(57)【要約】 【課題】本体ケース部の首振り動作により電源コードに繰り返し応力がかかり、電源コードが断線するのを防止できる首振り機構付電気ストーブを提供する。【解決手段】首振り軸支え２０の電源コード支持部３６及び基板ホルダ２４のコード差し込み部２８及びメイン基板２５のコネクタ３７をそれぞれ本体ケース部３の中心線上の位置に設け、電源コード２７を首振り軸支え２０内を通って電源コード支持部３６から立ち上がってコード差し込み部２８に差し込まれて貫通し、基板ホルダ２４の反対側に出てメイン基板２５のコネクタに接続したので、電源コード２７への応力の発生を小さくでき、電源コード支持部３６からコネクタ３７までのコード長を長くすることで応力が集中せず、繰り返し応力による電源コード２７の断線を防止できる。【選択図】図５
2011007344.tif 000002
【特許請求の範囲】
【請求項１】
ヒータと、該ヒータの前面を覆うガードが取り付けられる前面パネルと、該前面パネルと係合する背面パネルと、係合した前面パネルと背面パネルの上部に取り付けられる操作部本体からなる本体ケース部と、該本体ケース部を支持するベース部とからなり、前記本体ケース部を首振り運転させる電気ストーブに於いて、前記本体ケース部内の下部には、本体ケース部が載置され該本体ケース部を首振り動作させるリンク部と、該リンク部を動作させる首振モータが取り付けられたモータ取り付け台が回動自在に取り付けられている略有底円筒状の首振り軸支えと、略箱状で首振モータの上部に位置するように背面パネルの下部に固定され、メイン基板が収納される基板収納部と電源コードが差し込まれるコード差し込み部を有する基板ホルダが設けられ、前記首振り軸支えの上面前方で本体ケース部の中心線上の位置に電源コード支持部を形成し、前記基板ホルダのコード差し込み部を本体ケース部の中心線上の位置に形成し、基板ホルダのメイン基板のコネクタを本体ケース部の中心線上の位置に設け、電源コードを首振り軸支え内を通って電源コード支持部から立ち上がって上方に突出し、そこから首振り軸支えの上方に位置する基板ホルダのコード差し込み部に差し込まれ、更にコード差し込み部を貫通して基板ホルダの反対側に出てメイン基板のコネクタに接続することを特徴とする電気ストーブ。
【請求項２】
前記コード差し込み部は、奥から正面に向かって下り勾配となっている上部差し込み部と、正面の手前部分が下方向にテーパー状に形成された下部差し込み部と、前記上部差し込み部と下部差し込み部との間に設けられ、正面よりも奥側に電源コードが差し込まれる横長穴状の差し込み口より構成されていることを特徴とする請求項１記載の電気ストーブ。
【発明の詳細な説明】
【技術分野】
【０００１】
この発明は、首振り機構付電気ストーブに関するものである。
【背景技術】
【０００２】
従来よりこの種のものに於いは、例えば、本出願人が先に出願した首振り機構付電気ストーブのように、ヒータを備えた本体ケース部と支持部とからなり、前記本体ケース部と支持部とを回転軸ユニットにて接続し、該回転軸ユニットにより本体ケース部を回転自在に支持すると共に本体ケース部の仰角を調整できる電気ストーブでは、本体ケース部内から回転軸取付板の中空回転軸内を通って露出した本体側電線と、コード保持部から露出する電源コードとを閉端接続子によりカシメで接続し、叉角度調整板の上部に固定される制御部と本体ケース部のヒータや表示部や操作部と接続している制御用電線も回転軸取付板の中空回転軸内を通って本体ケース部内につながっていた。（例えば、特許文献１参照）
【先行技術文献】
【特許文献】
【０００３】
【特許文献１】特願２００８−２４２８１９号
【発明の概要】
【発明が解決しようとする課題】
【０００４】
ところでこの従来のものでは、ヒータを備えた本体ケース部と、該本体ケース部を首振り動作させる首振りの機構部が別体に設けられているが、首振りの機構部も本体ケース部内に内蔵し、ベースの上部に首振り動作を行う本体ケース部を設けた首振り機構付電気ストーブでは、例えば本体ケース部の下部に首振り機構部を設け、該首振り機構部の上部に制御基板を配置した場合、電源コードの一端を本体ケース部の下部から本体ケース部内に入れ、本体ケース部内に入ったところで電源コードを立ち上げて上方の制御基板に接続させた状態で、本体ケース部の首振り動作を行うと、電源コードの本体ケース部内に入った部分が繰り返し引っぱられて応力がかかり、これが長時間繰り返されると、場合によっては電源コードが断線する可能性があった。
【０００５】
又、首振り動作時に電源コードが引っぱられる応力を小さくするために、電源コードの本体ケース部内に入ったところから制御基板に接続するまでの間の電源コードを撓ませると、本体ケース部が首振り動作を行うと他の部材に接触して電源コードが損傷したり、他の部材に接触しないようにするとそのためのスペースが必要となる問題があった。
【０００６】
又、本体ケース部の下部に首振りの機構部を設け、本体ケース部の上部にヒータを設けた構造となるため、ヒータの熱がヒータ下部の首振りの機構部に伝熱し、首振りの機構部に接続される電源コードが熱により劣化したりする恐れがあった。
【課題を解決するための手段】
【０００７】
この発明はこの点に着目し上記課題を解決する為、特にその構成を請求項１では、ヒータと、該ヒータの前面を覆うガードが取り付けられる前面パネルと、該前面パネルと係合する背面パネルと、係合した前面パネルと背面パネルの上部に取り付けられる操作部本体からなる本体ケース部と、該本体ケース部を支持するベース部とからなり、前記本体ケース部を首振り運転させる電気ストーブに於いて、前記本体ケース部内の下部には、本体ケース部が載置され該本体ケース部を首振り動作させるリンク部と、該リンク部を動作させる首振モータが取り付けられたモータ取り付け台が回動自在に取り付けられている略有底円筒状の首振り軸支えと、略箱状で首振モータの上部に位置するように背面パネルの下部に固定され、メイン基板が収納される基板収納部と電源コードが差し込まれるコード差し込み部を有する基板ホルダが設けられ、前記首振り軸支えの上面前方で本体ケース部の中心線上の位置に電源コード支持部を形成し、前記基板ホルダのコード差し込み部を本体ケース部の中心線上の位置に形成し、基板ホルダのメイン基板のコネクタを本体ケース部の中心線上の位置に設け、電源コードを首振り軸支え内を通って電源コード支持部から立ち上がって上方に突出し、そこから首振り軸支えの上方に位置する基板ホルダのコード差し込み部に差し込まれ、更にコード差し込み部を貫通して基板ホルダの反対側に出てメイン基板のコネクタに接続するものである。
【０００８】
又請求項２に係る電気ストーブでは、特にその構成を請求項１の電気ストーブにおいて、前記コード差し込み部は、奥から正面に向かって下り勾配となっている上部差し込み部と、正面の手前部分が下方向にテーパー状に形成された下部差し込み部と、前記上部差し込み部と下部差し込み部との間に設けられ、正面よりも奥側に電源コードが差し込まれる横長穴状の差し込み口より構成されているものである。
【発明の効果】
【０００９】
この発明の請求項１によれば、ヒータと、該ヒータの前面を覆うガードが取り付けられる前面パネルと、該前面パネルと係合する背面パネルと、係合した前面パネルと背面パネルの上部に取り付けられる操作部本体からなる本体ケース部と、該本体ケース部を支持するベース部とからなり、前記本体ケース部を首振り運転させる電気ストーブに於いて、前記本体ケース部内の下部には、本体ケース部が載置され該本体ケース部を首振り動作させるリンク部と、該リンク部を動作させる首振モータが取り付けられたモータ取り付け台が回動自在に取り付けられている略有底円筒状の首振り軸支えと、略箱状で首振モータの上部に位置するように背面パネルの下部に固定され、メイン基板が収納される基板収納部と電源コードが差し込まれるコード差し込み部を有する基板ホルダが設けられ、前記首振り軸支えの上面前方で本体ケース部の中心線上の位置に電源コード支持部を形成し、前記基板ホルダのコード差し込み部を本体ケース部の中心線上の位置に形成し、基板ホルダのメイン基板のコネクタを本体ケース部の中心線上の位置に設け、電源コードを首振り軸支え内を通って電源コード支持部から立ち上がって上方に突出し、そこから首振り軸支えの上方に位置する基板ホルダのコード差し込み部に差し込まれ、更にコード差し込み部を貫通して基板ホルダの反対側に出てメイン基板のコネクタに接続したので、電源コードは、首振り軸支えの電源コード支持部の部分が動かないのに対して、メイン基板のコネクタに接続されている部分が首振り運転によって首振り軸を中心に左右に動くので、電源コードに繰り返し応力がかかるが、メイン基板のコネクタの位置にしているために応力の発生を小さくできると共に、電源コードを首振り軸支えの正面側から基板ホルダ正面から差し込み口を貫通して基板ホルダの反対側に出してコネクタに接続することで、電源コード支持部からコネクタに至るまでのコードの長さを長くすることが出来、それにより電源コードに応力が集中しないようにしているもので、繰り返し応力による電源コードの断線を防止できるものである。
【００１０】
又本発明の請求項２に記載の電気ストーブによれば、請求項１の電気ストーブに於いて、前記コード差し込み部は、奥から正面に向かって下り勾配となっている上部差し込み部と、正面の手前部分が下方向にテーパー状に形成された下部差し込み部と、前記上部差し込み部と下部差し込み部との間に設けられ、正面よりも奥側に電源コードが差し込まれる横長穴状の差し込み口より構成されているので、、擦れによる電源コードの被覆の破損を防止できるものであり、又差し込み口は上部差し込み部により上方に位置するヒーターの熱を遮断して、差し込み口に差し込まれる電源コードを熱から守ることができるものである。
【図面の簡単な説明】
【００１１】
【図１】この発明の一実施例を付した電気ストーブを示す斜視図。
【図２】同側面図。
【図３】同部品構成図。
【図４】同本体ケース部の下部正面構成図。
【図５】同下部側面構成図。
【図６】同下部背面構成図。
【発明を実施するための最良の形態】
【００１２】
次に、本発明に係る発明の一実施形態を図面に基づいて説明する。
１は電気ストーブで、１本のヒータ２を備えた本体ケース部３とベース部４とからなり、前記本体ケース部３は、ヒータ２を備え該ヒータ２の前面を覆うガード５が取り付けられる前面パネル６と、該前面パネル６と係合する背面パネル７と、係合した前面パネル６と背面パネル７の上部に取り付けられる操作部本体８からなるものである。
【００１３】
前記操作部本体８には、正面上部に暖房能力を表示する表示部９を設けると共に、上面には操作部１０を設け、該操作部１０は暖房運転のオンオフ及び暖房能力を設定する回転式の運転つまみ１１と、暖房能力をある幅で高低させるゆらぎ運転スイッチ１２と、３０分から１〜３時間まで運転時間を設定できる切りタイマースイッチ１３と、本体ケース部３を首振り運転させる首振りスイッチ１４を有するものである。
【００１４】
又、前記操作部本体８内には、表示部９を制御する表示部基板１５や操作部１０を制御する操作部部基板１６が取り付けられた操作部補強板１７が取り付けられており、該操作部補強板１７と背面パネル７上部との境には遮熱板１８が設けられているものである。
【００１５】
前記本体ケース部３内の下部には、ベース部４にネジにて固定され、本体ケース部３が首振り動作する際の首振り軸１９の一端を回転自在に支持する首振り軸支え２０がベース部４にネジにて固定され、首振り軸支え２０には本体ケース部３が載置され該本体ケース部３を首振り動作させるリンク部２１と、該リンク部２１を動作させる首振モータ２２が取り付けられたモータ取り付け台２３が回動自在に取り付けられているものである。
【００１６】
２４は略箱状の基板ホルダで、首振モータ２２の上部に位置するように背面パネル７の下部に固定され、メイン基板２５が収納される基板収納部２６と、該基板収納部２６の上部に電源コード２７が案内されるコード差し込み部２８からなり、前記コード差し込み部２８は、奥から正面に向かって下り勾配となっている上部差し込み部２９と、正面の手前部分が下方向にテーパー状に形成された下部差し込み部３０と、前記上部差し込み部２９と下部差し込み部３０との間に設けられ、正面よりも奥側に電源コード２７が差し込まれる横長穴状の差し込み口３１より構成されているものである。
【００１７】
前記首振り軸支え２０は有底円筒状で、側面には電源コード２７と係合する電源コード係合部３２が形成され、上面には首振り軸１９の一端が差し込まれる首振り軸受け部３３と、リンク部２１のラチェットピン３４が差し込まれるラチェットピン受け部３５と、前記電源コード係合部３２で係合した電源コード２７が、首振り軸支え２０を通って本体ケース部３の正面側から立ち上がって首振り軸支え２０から上方に突出し、その上方に突出する電源コード２７を支持する電源コード支持部３６が形成されているものである。
【００１８】
前記電源コード２７は、首振り軸支え２０の背面側から首振り軸支え２０内に入って、首振り軸支え２０の正面側上面に突出して形成されている電源コード支持部３６から上方に突出するが、その突出位置は本体ケース部３の幅の中心と同じであり、そこから首振り軸支え２０の上方に位置する基板ホルダ２４の差し込み口３１に差し込まれ、更に差し込み口３１を貫通して基板ホルダ２４の反対側に出た電源コード２７の先端は、基板ホルダ２４内のメイン基板２５で本体ケース部３が首振り運転した時の回転中心近傍にあるコネクタ３７に接続されているものである。
【００１９】
次に本体ケース部３の首振り運転について説明する。
運転つまみ１１を回転させて暖房運転を行っている状態で首振りスイッチ１４をオン操作すると、首振モータ２２が回転してそれによりリンク部２１が動作し、それによりリンク部２１に載置されている本体ケース部３が左右に回転して首振り運転を行う。
【００２０】
この時、電源コード２７は、首振り軸支え２０の電源コード支持部３３の部分が動かないのに対して、メイン基板２５のコネクタ３７に接続されている部分が首振り運転によって首振り軸１９を中心に左右に動くので、電源コード２７に繰り返し応力がかかるが、メイン基板２５のコネクタ３７の位置にしているために応力の発生を小さくできると共に、電源コード２７を首振り軸支え２０の正面側から基板ホルダ２４正面から差し込み口３１を貫通して基板ホルダ２４の反対側に出してコネクタ３７に接続することで、電源コード支持部３３からコネクタ３７に至るまでのコードの長さを長くすることが出来、それにより電源コード２７に応力が集中しないようにしているもので、繰り返し応力による電源コード２７の断線を防止できるものである。
【００２１】
又、差し込み口３１は高さ寸法は電源コード２７の太さより大きく、横長穴状の横寸法は本体ケース部３が左右に首振り運転をしても電源コード２７が接触しない長さに形成してあるので、擦れによる電源コード２７の被覆の破損を防止できるものであり、又差し込み口３１は上部差し込み部２９により上方に位置するヒーター２の熱を遮断して、差し込み口３１に差し込まれる電源コード２７を熱から守るものである。
【符号の説明】
【００２２】
２  ヒータ
３  本体ケース部
４  ベース部
５  ガード
６  前面パネル
７  背面パネル
８  操作部本体
２０  首振り軸支え
２１  リンク部
２２  首振モータ
２３  モータ取り付け台
２４  基板ホルダ
２５  メイン基板
２６  基板収納部
２７  電源コード
２８  コード差し込み部
３６  電源コード支持部
３７  コネクタ
【図１】
2011007344.tif 000003
【図２】
2011007344.tif 000004
【図３】
2011007344.tif 000005
【図４】
2011007344.tif 000006
【図５】
2011007344.tif 000007
【図６】
2011007344.tif 000008